(57)【要約】【課題】光磁気ディスクへの記録速度の高速化を可能とした磁気ヘッド装置を提供する。【解決手段】サスペンション１２の遊端には、磁気ヘッド部１３を内蔵するための貫通孔１４ａが形成されたスライダ１４が固定されている。磁気ヘッド部１３は、コイル１３２が捲回されたフェライトコア１３１に、さらにヘッド駆動回路１０が一体に接合されて構成される。これにより、ヘッド駆動回路１０に対する配線が短くなり、安定的な高速記録動作が可能となる。また、フェライトコア１３１での発熱が、ヘッド駆動回路１０を通じて放熱され、放熱特性も向上する。【選択図】図６
2007213717.tif 000002
【特許請求の範囲】
【請求項１】
光磁気ディスクに信号を記録する磁気ヘッド装置において、
前記光磁気ディスクに外部磁界を印加する磁気ヘッドと、前記磁気ヘッドと一体に接合され、前記外部磁界を発生するための駆動信号を前記磁気ヘッドに供給するヘッド駆動回路と、前記光磁気ディスクの表面に摺動して、前記磁気ヘッドと前記光磁気ディスクの表面との距離を一定に保持する摺動部とを備えた磁気ヘッド部と、
前記磁気ヘッド部を前記光磁気ディスクの表面に付勢して支持するサスペンションと、
を有することを特徴とする磁気ヘッド装置。
【請求項２】
前記ヘッド駆動回路は、前記磁気ヘッドの磁性コアと一体に接合されていることを特徴とする請求項１記載の磁気ヘッド装置。
【請求項３】
前記ヘッド駆動回路は、熱伝導性接着剤によって前記磁性コアと一体に接合されていることを特徴とする請求項２記載の磁気ヘッド装置。
【請求項４】
前記ヘッド駆動回路は、前記磁気ヘッドのコイルに対する駆動電流を供給して、前記外部磁界を制御するＨブリッジ型の駆動回路であることを特徴とする請求項１記載の磁気ヘッド装置。
【請求項５】
前記ヘッド駆動回路には、その一部が前記サスペンションに沿って延びるフレキシブル配線を介して前記駆動信号が供給されていることを特徴とする請求項１記載の磁気ヘッド装置。
【請求項６】
前記フレキシブル配線は、前記ヘッド駆動回路に電源を供給するための電源線と、前記磁気ヘッドからの前記外部磁界を制御するための制御信号線とを含むことを特徴とする請求項５記載の磁気ヘッド装置。
【請求項７】
前記ヘッド駆動回路は、複数の集積回路部品が支持基板を用いないでパッケージ化された基板レスの集積回路装置として構成されていることを特徴とする請求項１記載の磁気ヘッド装置。
【請求項８】
光磁気ディスクに信号を記録する光磁気ディスク記録装置において、
前記光磁気ディスクに外部磁界を印加する磁気ヘッドと、前記磁気ヘッドと一体に接合され、前記外部磁界を発生するための駆動信号を前記磁気ヘッドに供給するヘッド駆動回路と、前記光磁気ディスクの表面に摺動して、前記磁気ヘッドと前記光磁気ディスクの表面との距離を一定に保持する摺動部とを備えた磁気ヘッド部と、
前記磁気ヘッド部を前記光磁気ディスクの表面に付勢して支持するサスペンションと、
を有する磁気ヘッド装置を備えたことを特徴とする光磁気ディスク記録装置。
【発明の詳細な説明】
【技術分野】
【０００１】
本発明は、光磁気ディスクに対して外部磁界を印加して情報を書き込む磁気ヘッド装置、およびその磁気ヘッド装置を備えた光磁気ディスク記録装置に関し、とくに、光磁気ディスクに対する情報記録の高速化が可能な磁気ヘッド装置および光磁気ディスク記録装置に関する。
【背景技術】
【０００２】
ＭＤ（ミニディスク、登録商標）などの光磁気ディスクに情報を書き込むための光磁気記録再生装置には、光磁気ディスクの記録層を挟んで一方に光ビームを照射する光学ピックアップが配置され、他方に外部磁界を印加する磁気ヘッドが配置される。光磁気ディスクに情報を記録するときは、磁気ヘッドから記録情報に応じて磁界の向きが変調された磁界を記録層に印加するとともに、光ピックアップから光ビームを照射する。このとき、光ビームによってキュリー温度以上に加熱されて消磁した光磁気ディスクの記録部分が、磁気ヘッドからの磁界の方向に応じて磁化される。その後、光磁気ディスクの記録部分と光ビームとの相対的な移動でキュリー温度以下に低下し、磁気ヘッドからの磁界による磁化の方向が固定され、情報の記録がなされる。
【０００３】
ところで、上述した光磁気記録再生装置の摺動型磁気ヘッドは、光ピックアップと一体に連結されたサスペンションと、サスペンションの先端に固定された電磁変換部などで構成される。この電磁変換部は電磁コイルなどで構成され、電磁コイルにヘッド駆動回路を接続するリード線には、フレキシブルプリント配線（ＦＰＣ）またはワイヤーケーブルなどが用いられる。すなわち、ヘッド駆動回路が磁気ヘッド装置の外部に設けられたメイン基板などに組み込まれ、その他の駆動回路などと電気的に接続され、書き込み情報の記録時には、このヘッド駆動回路から電磁変換部に記録信号のパターンに合わせた駆動電流が流れるように構成されていた。
【０００４】
しかし、光磁気ディスクと接触摺動して光磁気記録を行う磁気ヘッド装置では、ヘッド駆動回路から電磁変換部までのリード線の引き回しの距離が長くなると、書き込み情報の記録時にヘッド駆動回路で変換された駆動電流波形がなまり、電磁変換部での記録信号の立ち上がり速度が遅くなって、高速記録が阻害される。
【０００５】
一般に、電磁変換部での記録信号の立ち上がり速度がなまらないようにするには、電磁変換部を構成する電磁コイルの巻数を減らして、インダクタンスを低減すればよい。ところが、電磁変換部でのインダクタンスを低減した場合、光磁気ディスクに対する同一電流での磁界強度が小さくなり、電磁コイルに余分に電流を流さなければならない。そのため、電池駆動の携帯型記録再生装置に適用するためには、その消費電力が増大して、連続して駆動できる時間が短くなる。
【０００６】
なお、磁気テープ装置に用いられる従来の記録・再生用の磁気ヘッドでは、信号再生用のコイルを、その再生出力値を一定にするための自動利得制御回路を介して端子に接続することで、磁気記録媒体が磁気ヘッドの摺動面で摺動する際にノイズの影響を防止するようにしたものがあった（たとえば、特許文献１参照）。
【０００７】
また、ＨＤＤ（ハードディスクドライブ）などの磁気ディスク装置に用いられる従来の磁気ヘッドでは、ヘッドアクチュエータを駆動する位置決め制御回路を含むＩＣチップを、サスペンション上の長さ方向の途中に固着することで、記録／再生信号に対する配線ノイズの影響を低減したものがあった（たとえば、特許文献２参照）。
【特許文献１】特開平６−１６２４３８号公報（段落番号〔００１４〕〜〔００２１〕、図２）
【特許文献２】特開２００１−１７６２２５号公報（段落番号〔００２０〕〜〔００３０〕、図２）
【発明の開示】
【発明が解決しようとする課題】
【０００８】
上述したように、光磁気ディスク装置に使用されている光磁気記録用の摺動型磁気ヘッドでは、駆動電流を電磁変換部に対して高速かつ安定的に供給する必要があった。また、光磁気記録媒体への記録動作の高速化に伴い、磁気ヘッドに供給される電流信号による発熱を抑えることも重要な課題となっていた。
【０００９】
本発明はこのような点に鑑みてなされたものであり、光磁気ディスクに対して記録信号を高速かつ安定的に記録できるようにした磁気ヘッド装置を提供することを目的とする。
また、本発明の他の目的は、光磁気ディスクに対して記録信号を高速かつ安定的に記録できるようにした光磁気ディスク記録装置を提供することである。
【課題を解決するための手段】
【００１０】
本発明では、上記問題を解決するために、光磁気ディスクに信号を記録する磁気ヘッド装置において、前記光磁気ディスクに外部磁界を印加する磁気ヘッドと、前記磁気ヘッドと一体に接合され、前記外部磁界を発生するための駆動信号を前記磁気ヘッドに供給するヘッド駆動回路と、前記光磁気ディスクの表面に摺動して、前記磁気ヘッドと前記光磁気ディスクの表面との距離を一定に保持する摺動部とを備えた磁気ヘッド部と、前記磁気ヘッド部を前記光磁気ディスクの表面に付勢して支持するサスペンションとを有することを特徴とする磁気ヘッド装置が提供される。
【００１１】
このような磁気ヘッド装置では、サスペンションが、磁気ヘッド部を光磁気ディスクの表面に付勢して支持し、磁気ヘッド部の摺動部が、光磁気ディスクの表面に摺動することで、信号記録時には磁気ヘッドと光磁気ディスクとの距離が一定に保持される。また、磁気ヘッド部においては、外部磁界を発生する磁気ヘッドと、その外部磁界を発生するための駆動信号を磁気ヘッドに供給するヘッド駆動回路とが、一体に接合される。
【発明の効果】
【００１２】
本発明の磁気ヘッド装置によれば、磁気ヘッド部において、磁気ヘッドとヘッド駆動回路とが一体に接合されるので、磁気ヘッドとヘッド駆動回路との距離が短くなる。したがって、記録信号のなまり、すなわち立ち上がり、立ち下がりの遅れの発生が防止され、記録の高速化と安定した記録動作が可能になる。
【発明を実施するための最良の形態】
【００１３】
以下、図面を参照してこの発明の実施の形態について説明する。
最初に、一般的な光磁気記録再生装置の構成および記録再生動作の概略について説明する。
【００１４】
図１は、光磁気記録再生装置の記録再生信号系および制御系の概略構成を示すブロック図である。
図１において、スピンドルモータ１によって一定線速度に回転されるＭＤなどの光磁気ディスク２を挟んで、書き込み情報を磁気信号に変換する記録用の磁気ヘッド３と、レーザ光Ｌを集光する対物レンズを有する光ピックアップ４とが配置されている。この磁気ヘッド３と光ピックアップ４とは、送りモータ５によって、光磁気ディスク２の半径方向に移動するようになっている。
【００１５】
最初に、光ピックアップ４による再生動作について説明する。光磁気ディスク２の記録用溝には予めプリグルーブが形成されており、このプリグルーブに対応するＲＦ信号が光ピックアップ４で再生され、ＲＦアンプ６で増幅され２値化されてアドレスデコーダ７に供給される。アドレスデコーダ７からアドレス信号とＦＭキャリア信号とがドライブコントローラ８に供給される。
【００１６】
ドライブコントローラ８は、図示しないエンコーダ、デコーダおよびＣＰＵ等を有し、アドレスデコーダ７からのアドレス信号とＦＭキャリア信号に基づき、サーボ回路９を通じて、スピンドルモータ１の速度制御、送りモータ５を通じての光ピックアップ４の位置制御を行う。
【００１７】
また、光磁気ディスク２に記録されている１または０の磁気信号が光ピックアップ４で１または０の電気信号に再生され、この再生信号がＲＦ信号としてＲＦアンプ６を通じてドライブコントローラ８に供給される。ドライブコントローラ８は、供給されたＲＦ信号を上記デコーダによりデコードして、光磁気ディスク２に記録されていた磁気信号を情報信号として再生する。
【００１８】
つぎに、光磁気ディスク２に対する記録動作について説明する。
外部から供給される記録情報信号は、ドライブコントローラ８でエンコードされた後、２値電圧信号としてヘッド駆動回路１０に供給される。ヘッド駆動回路１０はこの２値電圧信号を２値電流信号に変換し、リード線１０ａ，１０ｂを通じて磁気ヘッド３に供給している。
【００１９】
一方、光ピックアップ４とスピンドルモータ１には上記したサーボ制御がかけられており、光磁気ディスク２の記録層には、光ピックアップ４からレーザ光Ｌが照射されるとともに、磁界変調オーバーライト磁気ヘッドである記録用の磁気ヘッド３により、上記２値電流信号に応じて磁界の向きを変調された外部磁界が印加される。光磁気ディスク２の記録層では、レーザ光Ｌによってキュリー温度以上に加熱されて保磁力を消失した部分が、磁気ヘッド３からの磁界の方向に応じて磁化された後、レーザ光Ｌの相対的な移動でキュリー温度以下に低下することによって磁化の方向が固定され、信号の記録がなされる。
【００２０】
図２は、実施の形態に係る光磁気ディスク記録装置の全体を示す平面図である。
この光磁気ディスク記録装置は、光磁気ディスク２に信号を記録する摺動型の磁気ヘッド装置３０を備えている。光磁気ディスク２はディスクカートリッジ２ａに収容され、このディスクカートリッジ２ａとともに光磁気ディスク記録装置に着脱可能に装着される。
【００２１】
また、この光磁気ディスク２を挟んで、一方には光ビームを照射する光ピックアップ４が配置され、他方には外部磁界を印加する磁気ヘッド装置３０が配置されている。さらに、この光磁気ディスク記録装置は、光ピックアップ４の照射光の発光および検出信号の受光を行う発光部・受光部４０と、光ピックアップ４および磁気ヘッド装置３０を案内するガイド部材５ａ，５ｂと、磁気ヘッド装置３０を駆動するための送りモータ５とを備えている。磁気ヘッド装置３０および光ピックアップ４は、信号記録時においては、送りモータ５の駆動力によりガイド部材５ａ，５ｂに沿って、光磁気ディスク２の半径方向（図の矢印方向）に移動される。
【００２２】
図３は、光磁気ディスク記録装置に用いられる磁気ヘッド装置の構成を示す側面図である。また、図４は、この磁気ヘッド装置の構成を示す平面図である。
この磁気ヘッド装置３０は、光磁気ディスク記録装置の光ピックアップ連結ジョイント部１１と一体のベースプレート１１ａと、このベースプレート１１ａに固定されたサスペンション１２とを有し、サスペンション１２の遊端には、磁界を発生するための磁気ヘッド部１３が内蔵されたスライダ１４が固定されている。
【００２３】
磁気ヘッド部１３では、後述するような磁気ヘッドが、ヘッド駆動回路１０（図１参照）と一体に接合されていて、このヘッド駆動回路１０から磁気ヘッドにヘッド駆動信号を供給して外部磁界を発生するように構成されている。
【００２４】
スライダ１４は、摩擦抵抗の低い樹脂などからなり、このスライダ１４の下面が光磁気ディスク２の表面に摺動することで、スライダ１４の内部の磁気ヘッドと光磁気ディスク２の記録層とが一定の間隔を保持するようになっている。また、サスペンション１２は、その少なくとも一部に弾性部を備えており、スライダ１４を所定の圧力で光磁気ディスク２の表面に付勢している。
【００２５】
また、この磁気ヘッド装置３０には、サスペンション１２を跳ね上げるリフタ１５と、跳ね上げ時にサスペンション１２や磁気ヘッド部１３の位置を規定するアーム１６が設けられている。光磁気ディスク２は、ディスクカートリッジ２ａに収容された状態で光磁気ディスク記録装置に対して着脱されるが、その着脱時にリフタ１５が図中右方向に移動することにより、スライダ１４とともに磁気ヘッド部１３が光磁気ディスク２の表面から離れ、ディスクカートリッジ２ａと干渉しないようになっている。
【００２６】
フレキシブル配線基板１７は、サスペンション１２の固定端側に配置された図示しないメイン基板からスライダ１４まで延びている。そして、フレキシブル配線基板１７には、図４に示すように、磁気ヘッド部１３に設けられたヘッド駆動回路１０に電源を供給するための２本の電源線１７１，１７２と、磁気ヘッドの記録磁界を制御するための４本の制御信号線１７３〜１７６とが設けられている。
【００２７】
図５は、スライダに内蔵される磁気ヘッド部を拡大して示す図であり、（Ａ）は分解斜視図、（Ｂ）は組み立てた状態で示す斜視図である。
磁気ヘッド部１３では、図５（Ａ）に示すように、ヘッド駆動回路１０と、フェライト製のＴ型磁性コア（以下、フェライトコアという。）１３１の水平部材１３１ａの上面とが、熱伝導性接着剤によって接合される。また、フェライトコア１３１の垂直部材１３１ｂには、コイル１３２が捲回される。そして、コイル配線１３２ａ，１３２ｂをヘッド駆動回路１０に接続することによって、コイル１３２にヘッド駆動回路１０からヘッド駆動信号が供給され、フェライトコア１３１の下面１３１ｓを磁極面とする磁気ヘッドが構成される。
【００２８】
こうして磁気ヘッド部１３は、図５（Ｂ）に示す状態に組み立てられ、ヘッド駆動回路１０にフレキシブル配線基板１７からヘッド駆動信号とともに駆動電源を供給して、ヘッド駆動回路１０によりコイル１３２に流れる電流値が制御される。これにより、所定のタイミングで大きさと方向が切替えられた外部磁界を発生することができる。
【００２９】
図６は、磁気ヘッド装置の要部の形状を示す図であり、（Ａ）は磁気ヘッド部の左側断面図、（Ｂ）は磁気ヘッド部の右側断面図、（Ｃ）は磁気ヘッド部の正面断面図である。
サスペンション１２の遊端には、磁気ヘッド部１３を内蔵するための貫通孔１４ａが形成されたスライダ１４が固定されている。磁気ヘッド部１３は、図５（Ｂ）に示すように、コイル１３２が捲回されたフェライトコア１３１に、さらにヘッド駆動回路１０が一体となって構成されたものであって、スライダ１４の貫通孔１４ａに上下反転した状態で挿入され、磁気ヘッド部１３と光磁気ディスク２との間隔（ギャップ：ｄ）が保持されている。なお、図示しないが、たとえば、ヘッド駆動回路１０とスライダ１４とは紫外線硬化型接着剤などで固着され、これにより磁気ヘッド部１３はスライダ１４の内部に固定される。
【００３０】
こうした磁気ヘッド部１３を構成するヘッド駆動回路１０としては、たとえば４つのスイッチング用のＦＥＴ（Field-Effect Transistor）からなるＨブリッジ型の駆動回路を用いることができる。すなわち、ＦＥＴのスイッチング動作に対する制御信号などにより、コイル１３２に対する駆動電流の大きさと向きを制御することによって、記録情報に応じて外部磁界の大きさを制御して、光磁気ディスク２の記録層に情報を書き込むようにしている。また、このヘッド駆動回路１０は、複数の集積回路部品が支持基板を用いないでパッケージ化された基板レスの集積回路装置（ＩＳＢ：Integrated System in Board）として組み立てられていることが好ましい。
【００３１】
このヘッド駆動回路１０には、図６（Ｃ）に示すように、２つの信号出力端子１００ａ，１００ｂと６つの信号入力端子１０１〜１０６が設けられている。このうち、信号出力端子１００ａ，１００ｂはコイル配線１３２ａ，１３２ｂと接続され、信号入力端子１０１〜１０６には、図４に示すようなフレキシブル配線基板１７の２本の電源線１７１，１７２、および４本の制御信号線１７３〜１７６がそれぞれ接続される。
【００３２】
したがって、ヘッド駆動回路１０にＨブリッジ型の駆動回路を用いた場合には、従来装置では、コイルに駆動電流を供給するリード線が２本だけであったのに対して、ここでは、電源線１７１，１７２として２本、４つのＦＥＴのゲート制御に制御信号線１７３〜１７６が４本、計６本の回路パターンを有するフレキシブル配線基板１７が必要となる。
【００３３】
すなわち、電源線１７１，１７２により、直流の電源電圧ＶＤＤと接地電圧ＧＮＤが供給され、Ｈブリッジ型の駆動回路におけるＦＥＴをオンオフする駆動電流制御信号が制御信号線１７３〜１７６から供給されている。しかし、フレキシブル配線基板１７には、従来装置のように直接、磁気ヘッドへの駆動電流が流れるわけではないから、そこに流れる電流は大幅に減少する。したがって、フレキシブル配線基板１７を含む磁気ヘッド装置３０における輻射も低減でき、外部回路に対する記録磁界の影響を抑えることが可能になる。また、従来の磁気ヘッド装置３０で使用されていたような、輻射防止シートが不要になり、磁気ヘッド装置３０自体を薄型化・小型化することができる。
【００３４】
また、フレキシブル配線基板１７に流れる電流が減少すれば、フレキシブル配線基板１７の厚みを８〜１０μｍ程度まで小さくできるので、フレキシブル配線基板１７の剛性が低下し、光磁気ディスク２の半径方向にサスペンション１２と一体に移動するときのスライダ１４のねじれを減少することが可能になる。したがって、磁気ヘッド部１３の光磁気ディスク２に対する保持角度を一定に保つなど、磁気ヘッド部１３と光磁気ディスク２との間隔ｄを安定して保持できるようになって、磁気ヘッド装置３０の動作安定化が容易に図れる。
【００３５】
さらに、従来の構成では、コイルを含む磁気ヘッド部には冗長な引き回しを経て、ヘッド駆動回路から駆動電流を流すようにしていたため、ヘッド駆動電流の波形は立ち上がり速度がなまるという不具合があった。
【００３６】
図７は、ヘッド駆動電流の波形を示す図であり、（Ａ）は従来装置に流れる電流波形図、（Ｂ）は図６の磁気ヘッド装置に流れる電流波形図である。
従来装置においては、ＦＰＣの引き回しの影響を受け、立ち上がり速度が４０ｎｓ程度であった。これに対して、ヘッド駆動回路１０とフェライトコア１３１、コイル１３２を一体に組み込んで磁気ヘッド部１３を構成した図６の磁気ヘッド装置では、１８ｎｓ程度にまで改善することができた。すなわち、この実施の形態の磁気ヘッド装置３０では、ヘッド駆動回路１０から磁気ヘッド３に供給された記録信号がなまることなく、その立ち上がり速度および立ち下がり速度を高速なものとして、信号記録を安定的に高速化することが可能になる。
【００３７】
また、上述した基板レスの集積回路装置としてヘッド駆動回路１０を構成した場合、その寸法は２×２．４ｍｍ程度となる。また、フェライトコア１３１の水平部材の平面形状が、２．４×０．６ｍｍ程度の矩形のものであって、フェライトコア１３１の光磁気ディスク２と対向する垂直部分の断面形状を、０．４×０．６ｍｍ程度の矩形に構成することで、磁界の強さが２００Ｏｅ以上の磁気ヘッド装置として機能する。その場合、ヘッドとディスクとの間の間隔（ギャップ）は、３０〜１００μｍの範囲で規定することができる。
【００３８】
このように、上述した磁気ヘッド装置３０は、基板レスの集積回路装置を用いてヘッド駆動回路１０を構成することにより、より小型の磁気ヘッド装置となり、しかもヘッド駆動回路１０からのコイル配線の引き回し自体を短縮することができる。とくに、記録高速化のために光磁気ディスク２に対して信号を連続的に書き込むと、１００℃程度まで上昇する場合があるが、上記構成によりヘッド駆動回路１０を通じて磁界発生の際に生じるコイルの発熱を逃がすことができる。したがって、磁気ヘッド部１３をスライダ１４に内蔵する場合に、ＵＶ接着剤、あるいは熱伝導性の接着剤などを用いることが好ましい。
【００３９】
さらに、ヘッド駆動回路１０とフェライトコア１３１の接合には、熱伝導性接着剤を用いているので、フェライトコア１３１での発熱がヘッド駆動回路１０の筐体に伝達され、スライダ１４などの部材を介して外気に逃がすことができる。したがって、磁気ヘッド装置３０ではその発熱を抑えることが容易である。
【００４０】
以上、本実施の形態に係る磁気ヘッド装置によれば、記録速度の高速化が可能であって、スライダ１４に内蔵されたヘッド駆動回路１０とフェライトコア１３１とが直接に接合されているから、電磁変換部でのインダクタンスを低減しなくても、光磁気ディスクへの記録速度の高速化を容易に実現できる光磁気記録装置を提供することができる。
【００４１】
また、この磁気ヘッド装置では、ヘッド駆動回路１０から電磁変換部までのリード線の引き回しの影響を受けることなく、記録信号の十分に速い立ち上がり速度が得られ、しかも磁気ヘッド装置３０自体を薄型化することで、省電力であって、しかも安定した記録動作が実現できる。
【００４２】
なお、上記の実施の形態では、ディスクカートリッジに収容された光磁気ディスクを使用した場合について説明したが、ディスクカートリッジを使用しないタイプの光磁気ディスクに記録する磁気ヘッド装置および光磁気ディスク記録装置に本発明を適用することもできる。また、再生装置を兼用する携帯用の光磁気ディスク記録再生装置に利用してもよい。
【図面の簡単な説明】
【００４３】
【図１】光磁気記録再生装置の記録再生信号系および制御系の概略構成を示すブロック図である。
【図２】実施の形態に係る光磁気ディスク記録装置の全体を示す平面図である。
【図３】光磁気ディスク記録装置に用いられる磁気ヘッド装置の構成を示す側面図である。
【図４】磁気ヘッド装置の構成を示す平面図である。
【図５】スライダに内蔵される磁気ヘッド部を拡大して示す図であり、（Ａ）は分解斜視図、（Ｂ）は組み立てた状態で示す斜視図である。
【図６】磁気ヘッド装置の要部の形状を示す図であり、（Ａ）は磁気ヘッド部の左側断面図、（Ｂ）は磁気ヘッド部の右側断面図、（Ｃ）は磁気ヘッド部の正面断面図である。
【図７】ヘッド駆動電流の波形を示す図であり、（Ａ）は従来装置に流れる電流波形図、（Ｂ）は図６の磁気ヘッド装置に流れる電流波形図である。
【符号の説明】
【００４４】
１……スピンドルモータ、２……光磁気ディスク、３……磁気ヘッド、４……光ピックアップ、５……送りモータ、５ａ，５ｂ……ガイド部材、６……ＲＦアンプ、７……アドレスデコーダ、１０……ヘッド駆動回路、１１……光ピックアップ連結ジョイント部、１１ａ……ベースプレート、１２……サスペンション、１３……磁気ヘッド部、１４……スライダ、１５……リフタ、１６……アーム、１７……フレキシブル配線基板、３０……磁気ヘッド装置、４０……発光部・受光部。
【図１】
2007213717.tif 000003
【図２】
2007213717.tif 000004
【図３】
2007213717.tif 000005
【図４】
2007213717.tif 000006
【図５】
2007213717.tif 000007
【図６】
2007213717.tif 000008
【図７】
2007213717.tif 000009